(57)【要約】      （修正有）【課題】耐久性の高いハウジングアッセンブリ、およびその組み立て方法を提供する。【解決手段】本発明は、ハウジング部（６）と、少なくとも１つの隔壁（４）とを備える、リレー（４０）などの電気部品（３８）を入れるためのハウジングアセンブリ（１）に関する。少なくとも１つの隔壁（４）は、ハウジング部（６）に挿入方向（Ｓ）で挿入するように構成され、挿入状態（２）において、一方の壁部（８）から反対の壁部（８）へ水平方向（Ｈ）に沿って延びる。ハウジングアセンブリ（１）は、少なくとも１つの隔壁（４）を少なくとも水平方向（Ｈ）に平行な方向でハウジング部（６）にロックするように構成されているロッキングサブアセンブリ（１０）を備えることによって、高い内圧によるハウジングアセンブリ（１）の損傷を防止する。【選択図】図１
2020136267.tif 000002
【特許請求の範囲】
【請求項１】
ハウジング部（６）と、少なくとも１つの隔壁（４）とを備える、リレー（４０）などの電気部品（３８）を入れるためのハウジングアセンブリ（１）であって、
前記少なくとも１つの隔壁（４）は、前記ハウジング部（６）に挿入方向（Ｓ）で挿入するように構成され、挿入状態（２）において、一方の壁部（８）から反対の壁部（８）へ水平方向（Ｈ）に沿って延び、
前記ハウジングアセンブリ（１）は、前記少なくとも１つの隔壁（４）を少なくとも前記水平方向（Ｈ）に平行な方向で前記ハウジング部（６）にロックするように構成されているロッキングサブアセンブリ（１０）を備える、ハウジングアセンブリ。
【請求項２】
前記ロッキングサブアセンブリ（１０）は、前記水平方向（Ｈ）に重なる少なくとも２つの重なり突起（２４、２６）を備える、請求項１に記載のハウジングアセンブリ（１）。
【請求項３】
前記ロッキングサブアセンブリ（１０）は、前記少なくとも１つの隔壁（４）を案内するための、前記挿入方向（Ｓ）に延びる少なくとも１つのレールガイド（１２）を提供する、請求項１または２に記載のハウジングアセンブリ（１）。
【請求項４】
前記少なくとも１つのレールガイド（１２）は、その内部で前記ハウジング部（６）と前記少なくとも１つの隔壁（４）との前記挿入方向（Ｓ）での相対摺動を可能にし、少なくとも前記水平方向（Ｈ）に平行な移動を阻止するように構成されている、請求項３に記載のハウジングアセンブリ（１）。
【請求項５】
前記レールガイド（１２）は、前記挿入方向（Ｓ）および前記水平方向（Ｈ）に垂直に互いに離間し、間に切欠き（２０）を形成する少なくとも２つのリブ（１６、１８）を備える、請求項３または４に記載のハウジングアセンブリ（１）。
【請求項６】
前記少なくとも２つのリブのうちの少なくとも一方（１６）は、前記挿入状態（２）において前記突起（２４）が係合するように構成されているアンダカット（２２）を形成する、請求項５に記載のハウジングアセンブリ（１）。
【請求項７】
前記少なくとも１つの隔壁（４）は、前記ハウジング部（６）に少なくとも部分的に受け入れられるように構成されているさらなるハウジング部（７）の一部である、請求項１〜６のいずれか一項に記載のハウジングアセンブリ（１）。
【請求項８】
前記挿入状態（２）において前記ハウジングアセンブリ（１）は密封されている、請求項１〜７のいずれか一項に記載のハウジングアセンブリ（１）。
【請求項９】
前記挿入状態（２）において、少なくとも１つの接着剤移送流路（６８）が設けられ、前記少なくとも１つの接着剤移送流路（６８）は、前記ハウジングアセンブリ（１）の外側に向かって開き、前記ロッキングサブアセンブリ（１０）へ延びる、請求項１〜８のいずれか一項に記載のハウジングアセンブリ（１）。
【請求項１０】
前記少なくとも１つの接着剤移送流路（６８）は、前記壁部（８）の溝（６６）として形成されている、請求項９に記載のハウジングアセンブリ（１）。
【請求項１１】
前記挿入状態（２）において、前記ロッキングサブアセンブリ（１０）は、前記少なくとも１つの接着剤移送流路（６８）に接続されている少なくとも１つのさらなる接着剤移送流路（７０）を形成する、請求項９または１０に記載のハウジングアセンブリ（１）。
【請求項１２】
前記接着剤移送流路（６８）および前記さらなる接着剤移送流路（７０）のうちの少なくとも一方に接着剤（３４）が充填されている、請求項１１に記載のハウジングアセンブリ（１）。
【請求項１３】
前記少なくとも１つの隔壁（４）の前部（２８）および後部（３０）に、前記ロッキングサブアセンブリ（１０）が少なくとも部分的に係合する、請求項１〜１１のいずれか一項に記載のハウジングアセンブリ（１）。
【請求項１４】
リレー（４０）などの電気部品（３８）用のハウジング（１）を組み立てる方法であって、
少なくとも１つの隔壁（４）をハウジング部（６）に挿入方向（Ｓ）で挿入するステップと、
前記少なくとも１つの隔壁（４）を前記挿入方向（Ｓ）に垂直な方向で前記ハウジング部（６）にロックするステップとを含む、方法。
【請求項１５】
接着剤移送流路（６８）に接着剤（３４）を充填するステップをさらに含む、請求項１４に記載の方法。
【発明の詳細な説明】
【技術分野】
【０００１】
本発明は、リレーなどの電磁部品を入れるためのハウジングアセンブリ、およびハウジングを組み立てる方法に関する。
【背景技術】
【０００２】
そのようなハウジングアセンブリは、高い周囲温度および／または動作温度によって生じ得る高い内圧を受けることが多い。さらに、急速な温度変化は、ハウジングアセンブリ内の湿度と相まって、やはり内圧を上昇させ得る。内圧は、ハウジングを変形および／または損傷させるおそれがある。
【発明の概要】
【発明が解決しようとする課題】
【０００３】
したがって、本発明の目的は、耐久性の高いハウジングアセンブリ、およびハウジングを組み立てる方法を提供することである。
【課題を解決するための手段】
【０００４】
本発明は、リレーなどの電磁部品を入れるためのハウジングアセンブリを提供することによって、上記の問題を解決する。ハウジングアセンブリは、ハウジング部と少なくとも１つの隔壁とを備え、少なくとも１つの隔壁は、ハウジング部に挿入方向で挿入するように構成され、挿入状態において、ハウジングの一方の壁部から反対の壁部へ水平方向に沿って延びる。ハウジングアセンブリは、少なくとも１つの隔壁を水平方向に平行な方向でハウジング部にロックするように構成されているロッキングサブアセンブリをさらに備える。
【０００５】
上記の目的は、少なくとも１つの隔壁をハウジング部に挿入方向で挿入するステップと、少なくとも１つの隔壁を挿入方向に垂直な方向でハウジング部にロックするステップとを含む、ハウジングを組み立てる方法によってさらに解決される。
【０００６】
本発明のハウジングアセンブリおよびハウジングを組み立てる方法により、ロッキングサブアセンブリは、高い内圧によるハウジングアセンブリの膨張を防止することができる。ロッキングサブアセンブリにより、水平方向の移動が防止されるため、ハウジングアセンブリの全体的な耐久性が向上する。
【０００７】
本発明は、それぞれの技術的効果に関して互いに独立し、任意に組み合わせることのできる以下の特徴によってさらに改良することができる。
【０００８】
本発明の第１の実施形態によれば、ロッキングサブアセンブリは、水平方向に平行に力を伝えることができる。したがって、ロッキングサブアセンブリは、高い内圧によって生じる力にさらに対抗することができる。
【０００９】
水平方向は、実質的に挿入方向に垂直であってよい。
【００１０】
ハウジングアセンブリの耐久性をさらに高め、ロックをさらに強化するために、ロッキングサブアセンブリは、少なくとも２つの重なり突起を備えることができる。少なくとも２つの突起は、水平方向に平行に重なってインタロックを形成し、これにより、水平方向に平行な移動を防止することができる。少なくとも２つの重なり突起は互いに当接することができる。あるいは、ロッキングサブアセンブリをさらに封止し接着強化するための接着剤を受け入れるように構成されている間隙を、少なくとも２つの重なり突起間に設けることができる。
【００１１】
ロッキングサブアセンブリは、少なくとも１つの隔壁を挿入方向に案内するための、挿入方向に延びる少なくとも１つのレールガイドを提供することができる。これにより、少なくとも１つの隔壁の挿入を容易にすることができる。少なくとも１つのレールガイドを、その内部でハウジング部と隔壁との挿入方向の相対摺動を可能にし、少なくとも水平方向に平行な移動を阻止するように特に構成することができる。したがって、レールガイドは、ハウジング部への少なくとも１つの隔壁の挿入を案内することができ、さらにハウジング部の変形を防止することができる。
【００１２】
少なくとも１つのレールガイドは、ハウジング部と少なくとも１つの隔壁との、水平方向および挿入方向に垂直な相対移動を阻止することもできる。したがって、ロッキングサブアセンブリは、ハウジング部に対する少なくとも１つの隔壁の位置決めをさらに確実にすることができる。
【００１３】
少なくとも１つのレールガイドは、互いに離間し、間に切欠きを形成する少なくとも２つのリブを備えることができる。少なくとも２つのレールガイドは、水平方向に平行に突出し、挿入方向に沿って延びることができる。少なくとも２つのリブは、水平方向および挿入方向に垂直に互いに離間することができる。
【００１４】
少なくとも２つのリブのうちの少なくとも一方は、ロッキングサブアセンブリの舌部を受け入れて水平方向に平行なポジティブフィットを形成するように構成されているアンダカットを備えることができる。
【００１５】
少なくとも２つのレールガイドを、ロッキングサブアセンブリの両側に設けることができる。少なくとも２つのレールガイドを、ハウジング部の２つの対向する壁部にそれぞれ配置することができる。少なくとも１つの隔壁を、それぞれの側でレールガイドに係合させることができる。したがって、ロッキングサブアセンブリを、少なくとも１つの隔壁およびハウジング部によって直接形成することができる。これにより、ロッキングサブアセンブリの追加の別の部品を省いて、製造コストを低下させることができる。
【００１６】
少なくとも１つのレールガイドをハウジング部と一体形成することができると好ましい。ハウジング部を射出成形部品として形成して、簡単で費用効果の高い大規模製造を可能にすることができる。特に、少なくとも２つのリブをハウジング部と一体形成することができる。２つのリブのうちの一方が、他方のリブより大きい材料厚さを有することができる。アンダカットを備えるリブが、他方のリブより大きい材料厚さを有することができると好ましい。したがって、アンダカットを備えるリブをさらに安定させることができ、ロッキングサブアセンブリは、より大きい水平方向の力を補償することができる。
【００１７】
壁部に面する隔壁の側縁部を、挿入状態において２つのリブ間の切欠きに少なくとも部分的に配置することができる。側縁部は、挿入状態においてアンダカット内へ延びる舌部を備えることができる。
【００１８】
ロッキングサブアセンブリの水平方向でのロック強度を高めるために、少なくとも１つの隔壁の前部および後部に、ロッキングサブアセンブリが係合することができる。例えば、２つの舌部は、挿入方向および水平方向に実質的に垂直に、側縁部で反対方向に延びることができる。各舌部を、挿入状態においてリブのアンダカットに係合するように構成して、ロッキングサブアセンブリの全体的な重なり表面積を増加させることにより、前記
ロッキングサブアセンブリの強度を高めることができる。
【００１９】
隔壁の側縁部は、挿入方向に垂直な平面で実質的にＬ字形またはＴ字形の断面を有することができる。少なくとも１つの案内レールを相補的に形成して、大きい重なり表面積を有するポジティブフィットを実現することにより、少なくとも１つの隔壁とハウジング部との、少なくとも水平方向に平行な相対移動をロックすることができるようにしてもよい。ロッキングサブアセンブリを、少なくとも水平方向に平行かつ挿入方向および水平方向に垂直な相対移動を少なくともロックするように構成することができると好ましい。
【００２０】
特に強力なインタロックのために、ロッキングサブアセンブリは、ダブテールを備えることができる。少なくとも１つの隔壁の側縁部は、挿入方向に垂直な平面にダブテール形断面を有することができると好ましい。インタロックダブテールにより、大きい接触表面積をもたらすことができる。特に、インタロック部品間に接着剤を加えると、大きい接触表面積によってダブテールの強度をしっかりと高めることができる。
【００２１】
ハウジング部と隔壁とを、互いに圧入接続を形成するように寸法決めすることができる。これにより、容易に製造および組み立て可能な費用効率の高いハウジングアセンブリを提供することができる。しかしながら、ハウジング部と隔壁との間に接着剤層を設けて、ハウジングアセンブリをさらに封止し、ロッキングサブアセンブリを強化することができるとより好ましい。
【００２２】
少なくとも１つの隔壁は、挿入状態においてハウジングアセンブリを閉じ、電気部品を完全に包むことができる。
【００２３】
別の有利な実施形態によれば、少なくとも１つの隔壁は、ハウジング部に少なくとも部分的に受け入れられるように構成されているさらなるハウジング部の一部であってよい。さらなるハウジング部は、挿入状態においてハウジングアセンブリを閉じるベースを形成することができる。さらなるハウジング部と少なくとも１つの隔壁とを、一体部品として互いに一体形成することができる。電気部品をさらなるハウジング部に形成することができ、さらなるハウジング部は電気部品のベースとして機能する。
【００２４】
少なくとも１つの隔壁は、電気部品の一部を互いに分離することができる。リレーの場合、少なくとも１つの隔壁は、例えば、電磁コイルをコンタクトばねから分離することができる。
【００２５】
挿入状態において、少なくとも１つの隔壁を、挿入方向および水平方向に垂直に、ハウジング部の中央部に配置することができると好ましい。中央部は、通常、高い内圧による影響を最も受けるため、ハウジング部の壁部が外側に偏向する。
【００２６】
ハウジングアセンブリを、挿入状態において密封することができると好ましい。これにより、気密のハウジングアセンブリを形成し、中に入っている電気部品を水蒸気および／または他の異物から保護する。これにより、電気部品の適切な機能および信頼性を維持する。ロッキングサブアセンブリは、ハウジングアセンブリ内の高い内圧により封止が裂けてハウジング部の壁部同士が押し離されることを防止することによって、密封されたハウジングアセンブリの信頼性をさらに高めることができる。
【００２７】
ハウジングアセンブリを、挿入状態において封止用エポキシ樹脂などの接着剤を塗布することによって密封することができる。接着剤をハウジングアセンブリの外側に塗布して、ハウジングアセンブリの部品同士を接着し、少なくとも挿入方向での移動をロックすることができると好ましい。
【００２８】
さらなる有利な実施形態では、挿入状態においてさらなるハウジング部をハウジング部に完全に挿入することができる。さらなるハウジング部は、接着剤を受け入れるための少なくとも１つの凹部を備えることができる。凹部を、ハウジング部から離れた側を向く、さらなるハウジング部の外面に形成することができると好ましい。凹部は、挿入状態においてハウジング部の少なくとも１つの壁部へ延びることができ、凹部に充填された接着剤がさらなるハウジング部を少なくとも１つの壁部に接着し、ハウジングアセンブリを密封することができるようになっている。
【００２９】
別の有利な実施形態によれば、挿入状態において接着剤移送流路を設けることができる。接着剤移送流路は、ハウジングアセンブリの外側に向かって開くことができ、ロッキングサブアセンブリへ延びることができる。したがって、ハウジングアセンブリの内側に接着剤層を形成して、ハウジングアセンブリの封止性およびロック強度をさらに高めることができる。接着剤移送流路は、凹部のうちの少なくとも１つの外側に向かって開くことができると好ましい。
【００３０】
接着剤移送流路をハウジング部の溝として形成することができる。溝は鋭い縁部を有することができる。これにより、接着剤移送流路は、毛管作用によって接着剤をハウジングアセンブリの内部へ移送することができる。
【００３１】
ロッキングサブアセンブリの強度をさらに高め、挿入状態においてロッキングサブアセンブリへの接着剤の挿入を可能にするために、ロッキングサブアセンブリは、接着剤移送流路に接続されているさらなる接着剤移送流路を形成することができる。特に、さらなる接着剤移送流路は接着剤移送流路に連続することができる。したがって、接着剤をロッキングサブアセンブリに加えて、インタロック部品同士を接着することができる。これにより、振動または衝撃によるロッキングサブアセンブリの損傷をさらに防止することができる。接着剤により、インタロック部品の相対移動、したがって摩耗を避ける。
【００３２】
さらなる接着剤移送流路を、特にハウジング部と少なくとも１つの隔壁との間に形成することができる。これにより、接着剤を充填したときに、ハウジング部と少なくとも１つの隔壁とを接着剤により接着することができる。さらなる移送流路を、ハウジング部の壁部のさらなる溝として形成することができると好ましい。さらなる溝は鋭い縁部を有するため、接着剤を毛管作用によって移送することができる。さらなる移送流路を、ロッキングサブアセンブリ２つの突出するリブ間の切欠きによって形成することができる。
【００３３】
しかしながら、圧力、例えば空気圧により接着剤を流路に押し通すことによって、接着剤を、接着剤流路および／またはさらなる接着剤流路を通して移送してもよいことに留意されたい。
【００３４】
接着剤流路およびさらなる接着剤流路を、互いに平行な平面に配置してもよく、挿入方向に千鳥（スタガード）構成で配置してもよい。
【００３５】
接着剤移送流路またはさらなる接着剤移送流路の少なくともいずれか、好ましくは両方に接着剤を充填することができる。少なくとも１つの隔壁をハウジング部に挿入する前に接着剤を充填することができる。しかしながら、少なくとも１つの隔壁をハウジング部に挿入する前に接着剤を塗布すると、接着剤は、あまりにも速く固まって、またはずれて、少なくとも１つの隔壁とハウジング部との間に不均一な接着剤層を形成するおそれがある。したがって、隔壁をハウジング部に挿入した後に、接着剤を接着剤移送流路および／またはさらなる接着剤移送流路に充填することができると好ましい。
【００３６】
以下で、例示的な実施形態を示す添付図面を参照しながら、本発明によるハウジングアセンブリについてより詳細に説明する。
【００３７】
図中、機能および／または構造に関して互いに対応する要素については同一の参照符号を使用する。
【００３８】
様々な態様および実施形態の説明に従って、図面に示す要素の技術的効果が特定の適用に必要でない場合には、これらの要素を省略することができる。逆に、図示されていない、または図面を参照して説明されていないが、上述されている要素を、これらの特定の要素の技術的効果が特定の適用に有利である場合には、追加することができる。
【図面の簡単な説明】
【００３９】
【図１】本発明によるハウジングアセンブリの例示的な実施形態の概略切断図である。
【図２】図１に示すロッキングサブアセンブリの概略拡大図である。
【図３】Ｌ字形ロッキングサブアセンブリの概略切断図である。
【図４】ダブテール形ロッキングサブアセンブリの概略切断図である。
【図５】Ｔ字形ロッキングサブアセンブリの概略切断図である。
【図６】本発明の例示的な実施形態によるさらなるハウジング部の一部としての隔壁の概略斜視図である。
【図７】挿入状態における本発明のハウジングアセンブリの概略斜視図である。
【図８】図７において囲んだ領域の概略拡大図である。
【図９】図７および図８に示すハウジングアセンブリの概略切断図である。
【発明を実施するための形態】
【００４０】
図１において、ハウジングアセンブリ１の例示的な実施形態の切断図が示される。図示したハウジングアセンブリ１は挿入状態２にあり、少なくとも１つの隔壁４がハウジング部６に挿入方向Ｓで挿入されている。
【００４１】
挿入状態２において、隔壁４はハウジング部６の一方の壁部８から反対の壁部８へ水平方向Ｈに延びている。この水平方向Ｈは、挿入方向Ｓに実質的に垂直に配置することが好ましい。隔壁４を、壁部８に実質的に垂直に配置することができると好ましい。隔壁を水平方向Ｈに実質的に平行な方向でハウジング部６にロックするように構成されているロッキングサブアセンブリ１０が設けられる。
【００４２】
挿入状態２において、隔壁４をハウジング部６の中央部１１に配置することができ、この中央部１１は、挿入方向Ｓおよび水平方向Ｈに垂直に、ハウジング部６の中央に位置する。中央部１１は、通常、高い内圧による変形が最も大きいハウジング部６の領域である。したがって、隔壁４を前記中央部１１に配置して変形を防止することができると好ましい。しかしながら、ハウジングアセンブリ１の大きさに応じて、隔壁４を異なる部分に配置してもよく、２つ以上の隔壁４を、挿入方向Ｓおよび水平方向Ｈに垂直に互いに離間して設けてもよい。
【００４３】
ロッキングサブアセンブリ１０は、挿入方向Ｓに沿って延びる少なくとも１つのレールガイド１２を備えることができる。レールガイド１２は、壁部８と一体形成され、隔壁４の側縁部１４に係合するように構成されている。
【００４４】
レールガイド１２を、壁部８から張り出し、挿入方向Ｓに沿って延びる２つのリブ１６、１８によって形成することができる。２つのリブ１６、１８は、挿入方向Ｓおよび水平方向Ｈに垂直に互いに離間して、間に切欠き２０を形成することができる。側縁部１４は、切欠き２０に摺動挿入するように構成されている。対向する壁部８にも相補レールガイド１２が形成されているため、隔壁４は、水平方向Ｈの両側でハウジング部６に係合することができる。したがって、ロッキングサブアセンブリ１０は、隔壁４とハウジング部６との係合部を、水平方向Ｈのそれぞれの側に備えることができる。
【００４５】
ロッキングサブアセンブリ１０は実質的に対称の構成を備えているため、参照符号は２つの側の一方のみに示される。
【００４６】
図１において囲んだ領域の拡大像を示す図２では、ロッキングサブアセンブリ１０がより詳細に示される。
【００４７】
押込みインタロックを形成するために、リブのうちの少なくとも一方１６がアンダカット２２を形成することができ、挿入状態２において、このアンダカット２２に隔壁４の突起２４、例えば舌部２５を挿入することができる。リブ１６を壁部８から隔壁４に向かって斜めに延ばすことによって、アンダカット２２を形成することができる。あるいは、リブ１６は、隔壁４に向かって延びて水平方向Ｈで突起２４に重なる突起２６を備えることができる。重なり突起２４、２６はポジティブフィットを形成して、ハウジング部６と隔壁４との少なくとも水平方向に平行な相対移動を阻止することができる。
【００４８】
ロッキングサブアセンブリ１０の部品を、挿入状態２において圧入接続を形成するように寸法決めすることができる。しかしながら、インタロック部、すなわちレールガイド１２のリブ１６、１８と少なくとも１つの隔壁４の側縁部１４との間に間隙３２を設けることができると好ましい。間隙３２に接着剤３４、例えば封止用エポキシ樹脂を充填して、インタロック部同士を接着し、ロッキングサブアセンブリ１０をさらに強化することができる。接着剤３４が硬化すると、ロッキングサブアセンブリ１０は、特に挿入方向Ｓでの相対移動をさらにロックすることができる。
【００４９】
図３〜図５に、少なくとも１つの隔壁４とハウジング部６との他の形状のインタロックが示される。インタロックはＬ字形、Ｔ字形、またはダブテール形であってよい。特に、Ｔ字形またはダブテール形インタロックにより、少なくとも１つの隔壁４の前部２８および後部３０にロッキングサブアセンブリが係合することができる。したがって、大きい重なり表面積が実現されて、インタロックをさらに強化することができる。接着剤を加えることによって、ロッキングサブアセンブリをさらに強化してもよい。
【００５０】
図面において、レールガイド１２がハウジング部６に形成され、隔壁４が、挿入状態２において受け入れられるように構成されている、相補的に形成された突起２４を備えることが示される。しかしながら、この逆であってもよく、すなわち、隔壁４の側縁部１４がレールガイド１２を備え、ハウジング部６が、レールガイド１２に受け入れられるように構成されている、相補的に形成された突起２４を備えてもよいことに留意されたい。
【００５１】
少なくとも１つの隔壁４は、挿入状態２においてハウジング部６に受け入れられるように構成されているさらなるハウジング部７の一部であってよい。さらなるハウジング部７はベース９を備えることができ、このベース９は、少なくとも１つの隔壁４を受け入れるためのハウジング部６の開口部１３を閉じるように構成されている。さらなるハウジング部７と少なくとも１つの隔壁４とを、一体部品３６として互いに一体形成することができる。
【００５２】
さらなるハウジング部７は、図６の概略斜視図に示される。
【００５３】
さらなるハウジング部７は、電気部品３８、特にリレー４０を保持することができる。リレー４０は、電磁コイル４２と、互いに対向して配置されている２つのコンタクトばね４４とを備える。２つのコンタクトばね４４のうちの一方は駆動要素４６に接続され、駆動要素４６は、電磁コイル４２によって動くように構成されているアーマチュア４８にさらに結合される。これにより、電磁コイルに電力が供給されると、駆動要素４６はコンタクトばねを他方のコンタクトばね４４に向かって動かす。駆動要素４６は、隔壁４の上方で挿入方向Ｓに配置され、アーマチュア４８から挿入方向Ｓおよび水平方向Ｈに垂直にコンタクトばね４４まで延びる。駆動要素４６は、隔壁４の自由端５０から離間して、隔壁４が駆動要素４６の移動に影響されないようになっていることが好ましい。
【００５４】
隔壁４は、さらなるハウジング部７の中央部に配置されて、２つのチャンバ５２、５４を分離することが好ましい。一方のチャンバ５２は電磁コイル４２およびアーマチュア４８を保持し、他方のチャンバ５４はコンタクトばね４４を特徴とする。
【００５５】
隔壁４はベース９から挿入方向Ｓに延びる。隔壁４をさらに安定させるために、水平方向Ｈに延びる隔壁４の表面に安定化支柱５６が形成される。２つの安定化支柱５６は、水平方向Ｈに互いに離間して配置され、増加された材料厚さを有し、表面に向かって挿入方向Ｓにテーパ状になっている。安定化支柱５６は、衝撃または振動によって生じる、さらなるハウジング部７に対する隔壁の相対移動を特に防止することができる。したがって、隔壁４の強度およびロッキングサブアセンブリ１０の信頼性がさらに高まる。
【００５６】
さらなるハウジング部７は、外周に向かって開く様々な凹部５８をベース９に備える。図７および図８において、凹部５８がより明確に示されている。図７は、挿入状態２におけるハウジングアセンブリ１の概略斜視図であり、さらなるハウジング部７の、ハウジング部６から離れた側を向く底面６０が見えている。
【００５７】
図７に見られるように、複数の凹部５８は、さらなるハウジング部７の底面６０に形成されている。各凹部５８は、底面６０の外周に向かって開く少なくとも１つのくぼみ６２を備える。くぼみ６２は各々、接着剤３４をくぼみ６２内に案内するための案内リブ６３の境界を成す。凹部５８および案内リブ６３は、鋭い縁部を有することにより、接着剤３４を案内する毛管として作用することが好ましい。
【００５８】
挿入状態２において、くぼみ６２はハウジング部６の開口部１３の内周を開く。したがって、くぼみ６２は、接着剤３４を周囲間のスロット６４内に案内するように構成されている。封止用接着剤、例えば封止用エポキシ樹脂を塗布することにより、ハウジングアセンブリ１を密封することができる。
【００５９】
図８は、図７において円で示した凹部５８の拡大図である。
【００６０】
図８に見られるように、ハウジング部６の壁部８に溝６６が形成され、挿入状態２において凹部５８のくぼみ６２は溝６６内に開く。
【００６１】
溝６６は鋭い縁部を有し、挿入方向Ｓに延びて接着剤移送流路６８を形成する。鋭い縁部により、挿入状態２において、壁部８とさらなるハウジング部７との間で接着剤をハウジングアセンブリ内に吸引して、ハウジングアセンブリ１をさらに封止することができる。
【００６２】
図９は、本発明の例示的な実施形態による、挿入状態２におけるハウジングアセンブリ１の概略斜視図である。壁部８を除去して、挿入状態２におけるハウジングアセンブリ１の内部が見えるようになっている。図に見られるように、接着剤移送流路６８に接着剤３４が充填される。接着剤移送流路６８は、挿入方向Ｓに延び、リブ１６、１８の一方に当接する。当接したリブ１６は、接着剤３４をレールガイド１２の切欠き２０に向け直す。これにより、ロッキングサブアセンブリ１０は、接着剤移送流路６８に連続するさらなる接着剤移送流路７０を形成する。さらなる接着剤移送流路７０は、リブ１６、１８によって境界がつけられ、挿入方向Ｓに延びる。したがって、接着剤３４を隔壁４の側縁部１４とレールガイド１２との間で、特に毛管作用により吸引することができる。
【００６３】
接着剤３４を、隔壁４の挿入前に接着剤移送流路６８および／またはさらなる接着剤移送流路７０に充填することができる。しかしながら、接着剤３４は、あまりにも速く固まって、または挿入中にずれて、少なくとも１つの隔壁４とハウジング部６との間に不均一な接着剤層を形成するおそれがある。したがって、隔壁４をハウジング部６に挿入した後に、接着剤３４を接着剤移送流路６８および／またはさらなる接着剤移送流路７０に充填することができると好ましい。
【００６４】
ロッキングサブアセンブリ１０は、ハウジングアセンブリ１内で生じる高い内圧による、ハウジング部６の水平方向Ｈでの膨張に対抗する。特に、密封されたハウジングアセンブリ１では、ロッキングサブアセンブリ１０は封止材料にかかる剪断力を大幅に低減させる。したがって、本発明のハウジングアセンブリ１はより信頼性が高く、高い耐久性を有する。
【符号の説明】
【００６５】
１  ハウジングアセンブリ
２  挿入状態
４  隔壁
６  ハウジング部
７  さらなるハウジング部
８  壁部
９  ベース
１０  ロッキングサブアセンブリ
１１  中央部
１２  レールガイド
１３  ハウジング部の開口部
１４  側縁部
１６  リブ
１８  リブ
２０  切欠き
２２  アンダカット
２４  突起
２５  舌部
２６  突起
２８  前部
３０  後部
３２  間隙
３４  接着剤
３６  一体部品
３８  電気部品
４０  リレー
４２  電磁コイル
４４  コンタクトばね
４６  駆動要素
４８  アーマチュア
５０  自由端
５２  電磁コイルを有するチャンバ
５４  コンタクトばねを有するチャンバ
５６  安定化支柱
５８  凹部
６０  底面
６２  くぼみ
６３  案内リブ
６４  スロット
６６  溝
６８  接着剤移送流路
７０  さらなる接着剤移送流路
Ｈ  水平方向
Ｓ  挿入方向
【図１】
2020136267.tif 000003
【図２】
2020136267.tif 000004
【図３】
2020136267.tif 000005
【図４】
2020136267.tif 000006
【図５】
2020136267.tif 000007
【図６】
2020136267.tif 000008
【図７】
2020136267.tif 000009
【図８】
2020136267.tif 000010
【図９】
2020136267.tif 000011
【外国語明細書】
2020136267000001.pdf